【事件の表示】
　平成　８年特許願第１３１３７２号「ポリアリーレンスルフィド樹脂組成物」拒絶査定不服審判事件〔平成　９年１２月　９日出願公開、特開平　９−３１６３２７〕について、次のとおり審決する。
【結　論】
　本件審判の請求は、成り立たない。
【理　由】
I．手続の経緯
　本願は、平成８年４月２６日の出願（優先権主張　平成７年８月２２日　日本、平成８年３月２７日　日本）であって、平成１６年５月７日付けで拒絶理由が通知され、その指定期間内である平成１６年７月２０日に意見書及び手続補正書が提出されたが、平成１６年１０月１３日付けで拒絶査定がなされ、これに対し、平成１６年１１月１７日に拒絶査定に対する審判請求がされるとともに平成１８年９月７日に審判請求書の理由補充がなされたものである。
　
II.本願発明
　本願の請求項１〜５に係る発明は、平成１６年７月２０日付け手続補正書により補正された明細書の記載からみて、特許請求の範囲の請求項１〜５に記載された事項により特定されたとおりのものと認められ、請求項１には次のとおり記載されている。
「【請求項１】（Ａ）ポリアリーレンスルフィド１００質量部に対して、
（Ｂ）下式（１）
【化１】
〔式中、ｎは、１〜６の整数であり；Ｘ、Ｙ及びＺは、それらのうちの少なくとも一つが−ＯＣＯＲ基（Ｒは、炭素数２〜４０のアルキル基またはアルケニル基である。）であり、残りは、Ｈ、ＯＨまたは炭素数２〜４０のアルキル基もしくはアリール基であり；Ｗは、Ｏ、ＯＣＯまたはＨであり；Ｖは、Ｈまたは炭素数２〜４０のアルキル基もしくはアルケニル基である（ただし、ＷがＨのときは、Ｖは存在しないものとする。）〕
で示される構造を有する脂肪酸エステル０．１〜５質量部、及び
（Ｃ）エポキシ基含有率が０．１〜３０質量％である、α−オレフィンとα，β−不飽和酸グリシジルエステルとの共重合体からなるエポキシ基含有オレフィン系樹脂０．０１〜５質量部
を、それぞれ添加配合してなるポリアリーレンスルフィド樹脂組成物。」（以下、「本願発明」という。）
　
III.引用例に記載の事項
　原査定の拒絶の理由において引用された、本願出願前に国内において頒布された刊行物である、特開昭６３−２８９０６８号公報（以下、「引用例２」という。）、特開平４−１５９３６９号公報（以下、「引用例３」という。）、特開昭５８−１５４７５７号公報（以下、「引用例４」という。）には、以下の記載がされている。
　
引用例２：特開昭６３−２８９０６８号公報
「１（Ａ）ポリアリーレンサルファイド樹脂　１００重量部に
（Ｂ）下記式（１）で示される脂肪酸エステル　０．０１〜５重量部、
（但し、Ｘ1 〜Ｘ4は少なくとも１つが−ＯＣＯ−Ｒ基よりなり、残りは−Ｈ，−ＯＨ，アルキル基又はアリル基よりなる。Ｒは炭素数２〜３０のアルキル基、又はアルケニル基を示す。）
（Ｃ）無機充填剤　０〜４００重量部
を配合して成るポリアリーレンサルファイド樹脂組成物。」（特許請求の範囲第１項）
「本発明は成形時における金属面との離型性が改良され、且つ熱的、化学的に安定で分解ガス発生等がなく、しかも優れた機械的特性を有するポリアリーレンサルファイド樹脂組成物、特にポリフェニレンサルファイド樹脂組成物に関する。」（２頁左上欄１７行〜右上欄１行）
「本発明に於いて基体となる樹脂は、（Ａ）のポリアリーレンサルファイド樹脂であり、構造式−（Ａｒ−Ｓ）−（但しＡｒはアリール基）で示される繰り返し単位を９０モル％以上有する重合体であり、その代表的物質は
なる繰り返し単位を９０モル％以上有するポリフェニレンサルファイドである。」（３頁左上欄下から５行〜右上欄２行）
「本発明の組成物の（Ｂ）成分として添加配合される離形性改良剤は前記式（１）の構造を有する脂肪酸エステルであれば何れにても有効であるが、・・・。式（１）で表わされる代表的な物質としては、・・・ペンタエリスリトールと高級脂肪酸とのエステルであり、特に好ましいものとしてはペンタエリスリトールのトリ又はテトラステアリン酸又はオレイン酸エステルを挙げることが出来る。
　本発明で用いられる脂肪酸エステルの使用量はポリアリーレンサルファイド樹脂１００重量部あたり０．０１〜５重量部であり、好ましくは０．１重量部〜２重量部である。０．０１重量部より過少の場合には本来の目的とする効果が得られず、又過大の場合は機械物性の低下がおきるため好ましくない。」（３頁左下欄３行〜右下欄１１行）
　
引用例３：特開平４−１５９３６９号公報
「１．ポリアリーレンサルファイド樹脂に下記式（１）で示されるペンタエリスリトールテトラモンタネートを配合して成るポリアリーレンサルファイド組成物。
２．ポリアリーレンサルファイド１００重量部に対してペンタエリスリトールテトラモンタネートを０．０１〜６重量部を配合して成る請求項１記載の組成物。」（特許請求の範囲）
「本発明は、成形加工性及び接着性の優れたポリアリーレンサルファイド（以下ＰＡＳと略す）樹脂組成物に関するものであり、さらに詳しくは、ＰＡＳ樹脂に離型剤、表面改質剤として特定のペンタエリスリトールテトラモンタネートを配合することに依って、射出成形加工時に於て金型温度の高低にかかわらず、成形品の金型からの型離れ性（以下、離型性と言う）が飛躍的に向上し、成形加工時間の短縮化、同時に成形加工後の接着性をも向上し、幅広い分野へ使用可能を実現したＰＡＳ樹脂組成物に関するものである。」（１頁右下欄６行〜１６行）
「本発明に使用するＰＡＳ樹脂は
で示される構造単位を９０モル％以上含むものが好ましく、その量が９０モル％未満ではすぐれた特性の組成物は得難い。」（３頁左上欄１行〜４行）
「本発明における前記一般式で示されるペンタエリスリトールテトラモンタネートは、ペンタエリスリトールのテトラモンタン酸エステルであり、該モンタン酸の炭素数は「２７〜３２」である。
特に「２７〜３２」の炭素数分布を有する石炭系モンタン酸によるペンタエリスリトールテトラモンタネートが好ましい。
本発明におけるペンタエリスリトールテトラモンタネートの添加量は好ましくはＰＡＳ樹脂１００重量部に対して０．０１〜６重量部であり、かかる添加量であれば　本発明の効果を充分に達成でき、また機械物性も優れるため好ましい。
本発明組成物には繊維状強化材、好ましくはガラス繊維およびカーボン繊維および／又は他の無機質充填材を添加することができる。」（３頁左下欄下から３行〜右下欄下から９行）
「本発明の組成物は各種成形品用材料、即ち電気・電子機器部品、自動車機器部品材料、化学部品材料等に使用される。」（４頁左下欄５行〜７行）
　
引用例４：特開昭５８−１５４７５７号公報
「一般式−（Ａｒ−Ｓ）−（式中のＡｒは少なくとも１つの炭素６員環を含む２価の芳香族残基を示す）の繰り返し単位を主要構造単位とするポリアリーレンスルフィド樹脂１００重量部に対し、α−オレフィン７０〜９９重量％とα，β−不飽和酸のグリシジルエステル１〜３０重量％からなるオレフィン系共重合体０．５〜５０重量部を含有せしめたことを特徴とするポリアリーレンスルフィド樹脂組成物。」（特許請求の範囲）
「本発明は耐熱性、耐衝撃性、押出安定性、成形性、色調および成形品外観が均衡にすぐれたポリアリーレンスルフィド樹脂組成物に関するものである。」（１頁左下欄下から５行〜下から２行）
「そこで本発明者らはガラス繊維などの強化剤を用いることなく、ポリアリーレンスルフィド樹脂の耐衝撃性、押出安定性、成形性および成形品外観を改良することを目的として鋭意検討した結果、ポリアリーレンスルフィド樹脂に特定のオレフィン系共重合体を特定量配合することにより、ポリアリーレンスルフィド樹脂のすぐれた耐熱性を良好に保持したまま上記目的の諸特性が均衡に向上し、しかも成形品の色調まで改良されることを見出し、本発明に到達した。」（１頁右下欄１４行〜２頁左上欄３行）
「本発明で用いるポリアリーレンスルフィド樹脂とは一般式−［Ａｒ−Ｓ］−の繰り返し単位を主要構成単位とする重合体であり、・・・が挙げられる。なかでも典型的なポリアリーレンスルフィド樹脂は一般式
で示されるポリフェニレンスルフィド樹脂であり、・・・が使用できる。」（２頁左上欄１１行〜右上欄下から１３行」
「本発明で用いるオレフィン系共重合体とはα−オレフィンとα，β−不飽和酸のグリシジルエステルからなる共重合体であり、ここでいうα−オレフィンとしてはエチレン、プロピレン、ブテン−１などが挙げられるが、エチレンが好ましく用いられる。また、α，β−不飽和酸のグリシジルエステルとは、・・・で示される化合物であり、具体的にはアクリル酸グリシジル、メタクリル酸グリシジル、エタクリル酸グリシジルなどが挙げられるが、なかでもメタクリル酸グリシジルが好ましく使用される。」（２頁右上欄下から４行〜左下欄下から１１行）
「上記共重合組成のオレフィン系共重合体を上記の配合割合でポリアリーレンスルフィド樹脂に配合することにより、・・・押出安定性および・・・成形性が著しく向上し、耐衝撃性、外観および色調が均衡にすぐれた成形品を与える樹脂組成物が得られる。」（２頁右下欄１４行〜２０行）
「なお本発明の樹脂組成物には本発明の目的を損なわない範囲において通常の添加剤、例えば・・・、離型剤、・・・などをさらに配合することができる。」（３頁左上欄１１行〜１７行）
　
IV．対比・判断
　上記引用例の摘示事項を勘案すると、引用例４には、
「ポリアリーレンスルフィド１００質量部に対して、α−オレフィン７０〜９９質量％とα，β−不飽和酸のグリシジルエステル１〜３０質量％からなるオレフィン系共重合体０．５〜５０質量部及び離型剤を含有するポリアリーレンスルフィド樹脂組成物」が記載されているといえる。
　なお、重さの単位として、「質量部」と「重量部」、「質量％」と「重量％」とは密接な関係にあり、実質的に相違するものではない。
　そこで、本願発明と引用例４に記載された発明とを対比すると、両者は、「ポリアリーレンスルフィド１００質量部に対して、エポキシ基含有率が１〜３０質量％であるα−オレフィンとα，β−不飽和酸グリシジルエステルとの共重合体からなるエポキシ基含有オレフィン樹脂０．５〜５質量部及び離型剤を配合してなるポリアリーレンスルフィド樹脂組成物」の点で一致し、次の点で相違している。
　相違点
　離型剤について、本願発明が、「一般式（１）［化学構造式省略］で示される構造を有する脂肪酸エステル０．１〜５質量部」としているのに対し、引用例４に記載された発明では、離型剤の種類及びその配合量を具体的に明記していない点
　そこで、この相違点について検討する。
　ポリアリーレンスルフィド樹脂１００重量部に、一般式（１）で示される脂肪酸エステルからなる離型剤を０．０１〜５重量部配合してポリアリーレンスルフィド樹脂の離型性を改良することは、引用例２、３に記載されており、該脂肪酸エステルを配合することにより熱的、化学的に安定で分解ガスの発生がない、機械的特性に優れたポリアリーレンスルフィド樹脂組成物が得られることも引用例２に記載されている。
　そうすると、引用例４に記載されているポリアリーレンスルフィド樹脂組成物において、離型剤として、同様にポリアリーレンスルフィド樹脂組成物の離型剤として用いられている引用例２、３に記載されている一般式（１）で示される脂肪酸エステルを採用し、離型性の向上と共に機械的特性の向上、分解ガス発生の防止を図ること、そして、その配合量を引用例２、３に記載の配合量（０．０１〜５重量部）を勘案して調整しようとすることは当業者であれば容易に想到し得ることであり、格別困難なことではない。
　また、引用例４には、ポリアリーレンスルフィド樹脂にα−オレフィンとα，β−不飽和酸のグリシジルエステルからなるオレフィン系共重合体を配合することにより、外観にすぐれた成形品が得られることが記載されており、他方、本願発明の目的は、必ずしもブルーミングの防止自体にあるのではなく、すぐれた外観の成型品を提供する点にあると認められることからすれば、引用例４に記載された発明と本願発明とは、外観にすぐれた成型品を提供するポリアリーレンスルフィド樹脂組成物を得るという点で軌を一にするものであり、本願発明によって奏されるとする効果も格別顕著なものとすることはできない。
　
IV．むすび
　以上のとおりであるから、本願発明は、引用例２〜４に記載された発明に基づいて当業者が容易に発明をすることができたものであり、特許法第２９条第２項の規定により、特許を受けることができない。
　したがって、請求項２〜５に係る発明について検討するまでもなく、本願は拒絶すべきものである。
　よって、結論のとおり審決する。